(57)【要約】【課題】個人が容易に著作物を提供することである。【解決手段】マイコン１１がデータに対応するコード情報を磁気カード入出力部５に装着される外部記憶媒体に書き込み、読み取られたコード情報と対応して管理された出力情報に基づき、外部記憶媒体の情報を更新する構成を特徴とする。【選択図】　　　図５
2004098662.tif 000002
【特許請求の範囲】
【請求項１】
外部記憶媒体に記憶された情報を読み取り及び書き込み可能なデータ出力装置であって、
データに対応するコード情報を前記外部記憶媒体に書き込むコード情報書込手段と、
前記データの出力情報を前記コード情報と対応付けて管理する管理手段と、
前記外部記憶媒体から前記コード情報を読み取るコード情報読取手段と、
前記読み取られたコード情報と対応して管理された出力情報に基づき、前記外部記憶媒体の情報を更新する情報更新手段と、
を有することを特徴とするデータ出力装置。
【請求項２】
前記外部記憶媒体は金銭情報を記憶し、
前記外部記憶媒体から金銭情報を読み取る金銭情報読取手段と、
前記読み取られた金銭情報に応じて、前記データを記憶装置に記憶させる登録許可手段と、
を有することを特徴とする請求項１記載のデータ出力装置。
【請求項３】
前記外部記憶媒体は金銭情報を記憶し、
前記外部記憶媒体から金銭情報を読み取る金銭情報読取手段と、
前記読み取られた金銭情報に応じて、前記データの出力を許可する出力許可手段と、
を有することを特徴とする請求項１記載のデータ出力装置。
【請求項４】
前記出力情報は、前記データの出力量を示すことを特徴とする請求項１記載のデータ出力装置。
【請求項５】
前記データは画像を表し、前記出力情報は前記データを画像形成出力した用紙の枚数を示すことを特徴とする請求項１記載のデータ出力装置。
【請求項６】
前記出力情報は、前記データの出力量を示し、
前記情報更新手段は、前記出力情報と前記データの出力単価に基づき算出される払い出し料金で前記外部記憶媒体の情報を更新することを特徴とする請求項１記載のデータ出力装置。
【請求項７】
前記データの少なくとも一部分を表示する表示手段
と、を有することを特徴とする請求項１記載のデータ出力装置。
【請求項８】
データに対応するコード情報を外部記憶媒体に書き込む書込ステップと、
前記データの出力情報を前記コード情報と対応付けて管理する管理ステップと、
前記外部記憶媒体から前記コード情報を読み取る読取ステップと、
前記読み取られたコード情報と対応して管理された出力情報に基づき、前記外部記憶媒体の情報を更新する更新ステップと、
を有することを特徴とするデータ出力方法。
【発明の詳細な説明】
【０００１】
【発明の属する技術分野】
本発明は、外部記憶媒体に記憶された情報を読み取り及び書き込み可能なデータ出力装置およびデータ出力方法に関するものである。
【０００２】
【従来の技術】
近年の通信メディアの発達に応じて種々のシステムが製品化されている。とりわけ、ＯＡ機器分野においては、画像形成装置と種々の周辺機器を複合したシステムや、各事務所等にリース又は販売された画像形成装置の保守点検を集中管理するためのシステム等が提案されている。
【０００３】
この際、上記画像形成システムにおいて、各画像形成装置の保守点検は、前回のコピーカウンタ値からのトータル使用量をサービスマンが目視して確認し、あるいは担当営業所が顧客に電話で問い合わせてトータル使用量を割り出し、該コピーされた枚数に一定料金を掛け合わせた料金を保守料金として徴収していた。
【０００４】
また、画像形成装置に大容量の画像メモリを備えて、該画像メモリに登録された種々の画像情報から購入者が選択した所望の画像を料金支払を確認して複写物として出力販売可能な簡易な画像形成システムの機運が高まっている。
【０００５】
すなわち、種々の情報を収集して作成した個人が著作物（写真，文章，イラスト等）を完成して、出版物として販売するには、その部数に応じて多額費用を要し、タイムリな情報を簡易に販売する手段がなく、貴重な情報資源を画像として販売し、かつその情報提供料に見合う費用を著作権者に換金するメディアの到来が待たれている。
【０００６】
さらに、近年の通信メディアの発達に応じて多くの個人が著作物（写真，文章，イラスト等）を作成するようになった。
【０００７】
【発明が解決しようとする課題】
しかしながら、著作物を提供するには、簡易に販売する手段がなく、多額費用を要していた。
【０００８】
本発明は、上記の問題点を解消するためになされたもので、個人が容易に著作物を提供することができるデータ出力装置およびデータ出力方法を提供することを目的とする。
【０００９】
【課題を解決するための手段】
本発明に係る第１の発明は、外部記憶媒体に記憶された情報を読み取り及び書き込み可能なデータ出力装置であって、データに対応するコード情報を前記外部記憶媒体に書き込むコード情報書込手段と、前記データの出力情報を前記コード情報と対応付けて管理する管理手段と、前記外部記憶媒体から前記コード情報を読み取るコード情報読取手段と、前記読み取られたコード情報と対応して管理された出力情報に基づき、前記外部記憶媒体の情報を更新する情報更新手段とを有することを特徴とする。
【００１０】
本発明に係る第２の発明は、前記外部記憶媒体は金銭情報を記憶し、前記外部記憶媒体から金銭情報を読み取る金銭情報読取手段と、前記読み取られた金銭情報に応じて、前記データを記憶装置に記憶させる登録許可手段とを有することを特徴とする。
【００１１】
本発明に係る第３の発明は、前記外部記憶媒体は金銭情報を記憶し、前記外部記憶媒体から金銭情報を読み取る金銭情報読取手段と、前記読み取られた金銭情報に応じて、前記データの出力を許可する出力許可手段とを有することを特徴とする。
【００１２】
本発明に係る第４の発明は、前記出力情報は、前記データの出力量を示すことを特徴とする。
【００１３】
本発明に係る第５の発明は、前記データは画像を表し、前記出力情報は前記データを画像形成出力した用紙の枚数を示すことを特徴とする。
【００１４】
本発明に係る第６の発明は、前記出力情報は、前記データの出力量を示し、前記情報更新手段は、前記出力情報と前記データの出力単価に基づき算出される払い出し料金で前記外部記憶媒体の情報を更新することを特徴とする。
【００１５】
本発明に係る第７の発明は、前記データの少なくとも一部分を表示する表示手段を有することを特徴とする。
【００１６】
本発明に係る第８の発明は、データに対応するコード情報を外部記憶媒体に書き込む書込ステップと、前記データの出力情報を前記コード情報と対応付けて管理する管理ステップと、前記外部記憶媒体から前記コード情報を読み取る読取ステップと、前記読み取られたコード情報と対応して管理された出力情報に基づき、前記外部記憶媒体の情報を更新する更新ステップとを有することを特徴とする。
【００１７】
【発明の実施の形態】
〔第１実施形態〕
図１は、本発明の第１実施形態を示す画像形成システムの構成を説明するブロック図である。
【００１８】
図において、１は事務所で、画像形成装置４が設置されている。２は種々の地点に設置されている各画像形成装置の保守点検を担う販売会社、３は事務所で、事務所１とは分離独立した地点に存在し、画像形成装置８が設置されている。なお、画像形成装置４と画像形成装置８とは機能スペックが同一であってもいいし、異なる機能スペックであってもよい。また、画像形成装置４には、モデム５，電話回線１０，モデム７を介して接続される販売会社２の管理装置６との通信および画像形成装置４の本体の制御を行うコントローラ４ａ（ＣＰＵ，ＲＯＭ，ＲＡＭ等を備える）を備えている。同様に、画像形成装置８には、モデム９，電話回線１０，モデム７を介して接続される販売会社２の管理装置６との通信および画像形成装置８の本体の制御を行うコントローラ８ａ（ＣＰＵ，ＲＯＭ，ＲＡＭ等を備える）を備えている。なお、画像形成装置４，８は、複写シーケンスのみを実行する純粋なアナログ画像形成装置に限らず、ディジタル画像形成装置、さらにはディジタル画像形成装置に周辺装置（コンピュータ，ファイル装置，ファクシミリ装置等）が接続された画像形成装置であっても本発明の適用を妨げるものではない。また、画像記録のみを行うプリンタ装置にも容易に適用することができる。
【００１９】
このように構成された本発明の画像形成システムにおいて、管理装置６の設定手段（コントローラ６ａ）が画像形成装置４，８に対する所定の使用基準量および使用基準量の増減を設定すると、画像形成装置の記憶手段（不揮発性記憶媒体）に使用基準量が記憶され、制御手段（コントローラ４ａ，８ａ）がカウンタ（内部カウンタ）にカウントされる使用量と記憶手段に記憶された使用基準量とを比較し、該比較結果に基づいて画像形成動作開始を許可または禁止を制御するとともに、更新手段（コントローラ４ａ，８ａによる）が設定手段により設定された前記使用基準量の増減に応じて記憶手段に記憶された使用量を更新するので、一定の支払条件を満たす使用者の継続的な使用を確保し、一方で不正な使用者の継続的な使用を確実に制限して公正に画像形成装置を管理することが可能となる。
【００２０】
また、設定手段が設定する所定の使用基準量を画像形成枚数とするので、使用枚数に応じて画像形成装置の使用状況を管理することが可能となる。
【００２１】
さらに、設定手段が設定する所定の使用基準量を画像形成使用期間とするので、使用期間に応じて画像形成装置の使用状況を管理することが可能となる。
【００２２】
また、設定手段が設定する所定の使用基準量を画像形成装置の使用料金とするので、使用料金に応じて画像形成装置の使用状況を管理することが可能となる。
【００２３】
さらに、設定手段が設定する使用料金を画像形成装置の使用期間料金と前記画像形成装置の使用枚数料金との合計料金とするので、使用枚数と使用期間料金とに応じて画像形成装置の使用状況を管理することが可能となる。
【００２４】
以下、図２〜図４に示すフローチャートを参照しながら本発明に係る画像形成システムにおける画像形成装置保守管理制御動作について説明する。
【００２５】
図２は、本発明に係る画像形成システムにおける第１の画像形成装置保守管理制御手順の一例を示すフローチャートである。なお、（１）〜（１０）は各ステップを示す。
【００２６】
本実施形態では、管理装置６と画像形成装置４，８との間ではさまざまな情報や指令のやり取りが通信されている。その中の１つに管理装置６から特定の画像形成装置に対して行われるコピー可能枚数増加要求、例えば、画像形成装置４に対して５０００枚の追加要求があったものとして以下説明する。
【００２７】
先ず、通信ありかどうかを判断し（１）、ＮＯならばステップ（５）以降に進み、ＹＥＳならば続いてコピー枚数増加要求であるかどうかを判断し（２）、ＮＯならば通信内容に合った処理を行い（４）、ステップ（５）以降に進み、ＹＥＳならばコントローラ４ａ内のメモリ上のコピー可能枚数を、例えば５０００枚に追加する（３）。次いで、通信の有無にかかわらずコピー可能枚数が「０」より大であるかどうかを判断し（５）、「０」以下ならコピー禁止とし（７）、ステップ（１）に戻り、もし、コピー可能枚数が「０」より大ならコピー可能とし（６）、次いで、コピー要求があるかどうかを判断し（８）、ＮＯならばステップ（１）に戻り、ＹＥＳならばコピー動作を１枚分行う（９）。そして、コピー可能枚数を１枚減算して（１０）、ステップ（１）に戻る。
【００２８】
なお、本実施形態において、コピー要求とは、画像形成装置のスタートキーが押されてから全コピー動作が終了するまでの間発生しているフラグである。つまり、コピーを１枚取るごとに、コピー可能枚数が１つずつカウントダウンしていき、コピー可能枚数が「０」になったところでコピーが禁止される。そして再びコピー許可となるには、管理装置６からコピー可能枚数増加要求がされて、コピー可能枚数が「０」より大きく設定された場合である。
【００２９】
通常は、コピー可能枚数が「０」になる以前に画像形成装置の使用者が販売会社２に料金を支払い、その料金に見あったコピー枚数だけ、管理装置６から各画像形成装置４，８に対してコピー可能枚数の増加要求が行われる。
【００３０】
なお、本実施形態において、コピー可能枚数の記憶されるメモリには、記憶の揮発がないようにＥＥＲＯＭが用いられている。
【００３１】
また、上記実施形態では管理装置６からのコピー可能枚数増加要求に応じて画像形成装置４又は画像形成装置８のコントローラ４ａ，８ａに設けられるメモリに記憶されているコピー可能枚数値を増加する場合を例として画像形成装置を管理する場合について説明したが、管理装置６と画像形成装置４，８との間ではさまざまな情報や指令が通信されているわけで有り、以下、その中の１つである使用期限延期要求に対応した管理処理を例として説明する。本実施形態において、使用期限延期要求とは管理装置６から特定の画像形成装置に対して行われる要求である。
【００３２】
図３は、本発明に係る画像形成システムにおける第２の画像形成装置保守管理制御手順の一例を示すフローチャートである。なお、（１）〜（７）は各ステップを示す。
【００３３】
以下、本実施形態では、例えば画像形成装置４に対して２０日間の延期要求があった場合を例として説明する。
【００３４】
先ず、通信ありかどうかを判断し（１）、ＮＯならばステップ（５）以降に進み、ＹＥＳならば続いて使用期限延期要求であるかどうかを判断し（２）、ＮＯならば通信内容に合った処理を実行し（４）、ステップ（５）以降に進む。
【００３５】
一方、ステップ（２）の判定でＹＥＳの場合は、コントローラ４ａのメモリ上の使用期限を、例えば２０日間延長する（３）。次いで、現在の日時を示す時計（コントローラ４ａのタイマ回路に設けられる）の現在の日付が使用期限内かどうかを判断し（５）、期限内であればコピー許可とし（６）、期限内でなければコピー禁止として（７）、ステップ（１）に戻る。
【００３６】
なお、上記処理は、各画像形成装置４，８の各複写シーケンスと並列に処理がされているものとする。
【００３７】
また、上記実施形態では管理装置６からのコピー可能枚数増加要求に応じて画像形成装置４又は画像形成装置８のコントローラ４ａ，８ａに設けられるメモリに記憶されているコピー可能枚数値を増加する場合を例として画像形成装置を管理する場合について説明したが、管理装置６と画像形成装置４，８との間ではさまざまな情報や指令が通信されているわけで有り、以下、その中の１つである残高増加要求に対応した管理処理を例として説明する。
【００３８】
図４は、本発明に係る画像形成システムにおける第３の画像形成装置保守管理制御手順の一例を示すフローチャートである。なお、（１）〜（１２）は各ステップを示す。
【００３９】
以下、本実施形態では、例えば画像形成装置４に対して１万円の残高増加要求があった場合を例として説明する。
【００４０】
例えば、画像形成装置４に対して１万円の残高追加要求があったとすると、画像形成装置４は図４に示すフローチャートを開始して、先ず、通信ありかどうかを判断し（１）、ＮＯならばステップ（５）以降に進み、ＹＥＳならば続いて残高増加要求であるかどうかを判断し（２）、ＮＯならば通信内容に合った処理を実行して（４）、ステップ（５）以降に進み、ＹＥＳならばコントローラ４ａのメモリ上の残高を１万円増加させる（３）。
【００４１】
次いで、通信の有無にかかわらず、残高が「０」円より大であるか否かどうかを判断し（５）、もし残高が０より大であるならコピーを許可し（６）、ステップ（８）以降に進み、０以下ならばコピーを禁止して（７）、ステップ（１１）以降に進む。
【００４２】
次いで、コピー要求があるかどうかを判断し（８）、ＮＯならばステップ（１１）に進み、ＹＥＳならばコピー動作を１枚分行い（９）、そして残高から１枚分の料金（例えば、１０円）を引く（１０）。
【００４３】
次いで、画像形成装置の１日当たりのレンタル料が、例えば１０００円と決められていたと仮定して、残高から１日以上の経過がある毎に（１１）、残高から経過日数分のレンタル料を引き（１２）、ステップ（１）に戻る。
【００４４】
これにより、次第に残高は減少していき、残高の増加要求がこないと残高は「０」以下となり、管理装置６が要求する残高増加要求と使用者の使用量からコピーを禁止とすることが可能となる。
【００４５】
〔第２実施形態〕
図５は、本発明の第２実施形態を示す画像形成システムの構成を説明するブロック図であり、例えば画像形成装置と記憶装置とカード読書き装置とにより出版処理を行うシステムの場合に相当する。
【００４６】
図において、１１は前記画像形成装置を制御するマイコン、１２は画像メモリに記憶されている画像もしくはリーダにより読み込まれた画像を用紙に画像形成するプリンタ、１３はリーダ、１４は画像メモリ、１５は磁気カードの金銭情報とコード番号の読み込みと書き込みを行う磁気カード入出力部、１６は画像形成装置使用者とのインタフェースである操作パネルである。なお、本実施形態では、後述する精算手段，登録許可手段，カウント手段，コード登録手段，払出し許可手段，出力許可手段，演算手段等がマイコン１１が実行する制御プログラムにより達成される場合を示すが、それぞれをハードロジック化することも可能である。
【００４７】
このように構成された画像形成システムにおいて、精算手段が画像情報に対する項目処理に応じた処理額を計算し、投入された金額に応じて釣銭を精算した後、登録許可手段が投入された金額に応じて画像情報を記憶手段（画像メモリ１４）に記憶させることを許可し、画像情報入力手段（リーダ１３）による記憶手段に対する画像情報登録状態に応じてコード登録手段が所定のコード情報をカード媒体に登録し、投入された金額に応じて出力許可手段が記憶手段に記憶された画像の出力を許可し、記憶手段から画像情報が出力された量をカウント手段がコード情報毎にカウントし、コード検知手段がカード媒体に登録されたコード番号を検知すると、記憶手段に記憶された画像情報の出力量と画像情報の出力単価に応じて演算手段が画像情報登録者に支払う情報提供金額を演算し、コード検知手段によりコード番号を検知した時、払出し許可手段が情報提供金額の払出しを許可するので、誰でも適正な使用を満たす画像登録者と画像情報提供を受ける者とを管理して、だれでも画像情報を登録して簡易にプリンタ１２から出版することが可能となる。
【００４８】
また、記憶手段に記憶された画像情報の項目画像を検索画像とするので、登録された画像情報の内容を反映した検索が可能となる。
【００４９】
さらに、投入金額に応じて記憶手段に記憶する画像情報の記憶量を加減するので、情報料が多くてもそれに見合う登録料が入金された場合には、確実に登録することが可能となる。
【００５０】
図６は、図５に示した操作パネルの一例を示す概略図である。
【００５１】
図において、１６は操作パネルであり、１６ａは表示部で、種々のメッセージ，料金等を表示する。１６ｂは登録キーで、原稿画像を登録する際に押下する。１６ｃは出力キーで、登録された画像を出力する際に押下する。１６ｄは払出しキーで、画像登録者（著作権者）が登録画像の提供量を払い出す際に押下する。１６ｅは更新キーで、登録された画像に設定された登録期限を更新する際に押下する。１６ｆはアップキーで、登録された画像の照会データを検索する際に押下する。１６ｇはダウンキーで、登録された画像の照会データを検索する際に押下する。１６ｈはスタートキーで、検索された画像を出力する際に押下する。１５ａはカード挿入口である。
【００５２】
図７は、図６に示したカード挿入口に挿入される磁気カードの一例を示す平面図である。
【００５３】
図において、１９は磁気カード本体で、後述する金銭情報１９ａとコード１９ｂが記憶されている。
【００５４】
図８は、図５に示したリーダ１３から入稿する原稿の一例を示す模式図である。
【００５５】
図において、２０ａ〜２０ｃは原稿で、３枚一組で原稿が構成されている場合に対応する。２０ｄは画像検索用として登録される原稿領域（図中に斜線で示す）に対応し、例えば原稿２０ａに記載された「テーマ）特許の非グローバル性」が検索画像として登録される場合に対応する。
【００５６】
以下、図９〜図１３に示すフローチャートを参照しながら画像形成システムを利用する出版処理動作について説明する。
【００５７】
図９〜図１３は、本発明に係る画像形成システムを利用する出版処理手順の一例を示すフローチャートである。なお、（１）〜（５８）は各ステップを示し、以下、待機状態処理，登録処理，出力処理，払い出し処理，更新処理等について順次説明する。
【００５８】
〔待機状態〕
電源が入れられると、操作パネル１６の表示部１６ａには「メニューを選択して下さい」（表示１）と表示されていて（１）、登録キー１６ｂ，出力キー１６ｃ，払い出しキー１６ｄ，更新キー１６ｅのいずれかが押されることによりそれぞれ登録処理，出力処理，払い出し処理，更新処理に移行する（２），（３），（４），（５）。また、登録期限の切れた画像データを検索消去し（６）、また、払い出し期限を過ぎた払い出し料金を検索して払い出し料金およびコードを消去する（７）。
【００５９】
〔登録処理〕
一方、ステップ（２）の判定で登録キー１６ｂが押下された場合には、著作者が画像を登録する場合は、操作部パネル１６の表示部１６ａには「原稿をリーダにセットしてスタートキーを押して下さい」（表示２）表示がされていて（８）、原稿がセットされスタートキーが押されると（９）、原稿をカウントして（１０）、その枚数に応じた登録料を算出する（１１）。その算出式を下記第（１）式に示す。
【００６０】
（登録料）＝（１枚当たりの登録料）×（登録枚数）、ただし、１枚当たりの登録料＝１０００円……（１）
そして、表示部１６ａには「カードを挿入して下さい」（表示３）と表示を行う（１２）。そこで、カードが挿入されると（１３）、カードに記録されている金銭情報を磁気カード入出力部にて読み取り前記登録料と比較して（１４）、カードに記録されている金銭情報が少ないときにはカードを排出して（１５）、表示部１６ａに「カードの料金が不足です、十分な料金のカードを挿入して下さい」（表示５）と表示する（１６）。
【００６１】
また、十分の料金がカードに記録（使用可能な金銭残高）されているときには、原稿の画像情報を読み込み画像メモリに記録する（１７）。そして、次にカードにこの画像情報に対するコードを発生して、このコードをカードに書き込む（１８）。そして、カードに登録料を減算した金銭情報を記録して（１９）、カードを排出する（２０）。そして表示部１６ａに「カードと原稿をお忘れなくお持ち帰り下さい」（表示４）と表示する（２１）。そしてその情報を出力する場合の料金である情報料を計算して記憶する（２２）。その計算式を第（２）式に示す。
【００６２】
次に、その画像の登録期限を今から１カ月先として記憶する（２３）。また、払い出し期限を前記登録期限よりさらに１カ月先に記録する（２４）。そして、ステップ（１）に戻って待機状態となる。
【００６３】
（情報料）＝（１枚当たりの情報料）×（原稿枚数）、ただし、１枚当たりの情報料＝１２５０円……（２）
〔出力処理〕
一方、ステップ（３）の判定で、出力キー１６ｃが押下された場合には、表示部１６ａに「↑キーと↓キーで出力したい画像を選択してスタートキーを押して下さい。料金１２５００円、テーマ）エコロジーについて考える」（表示５）と表示されている（２５）。この表示の中の「１２５００円、テーマ）エコロジーについて考える」は登録されている画像情報のデータの紹介部分である。ここで↓キーを押すと（２６）、その紹介部分が別の画像データの紹介部分に次々と変わっていく（２９）。そして↑キー（アップキー１６ｆ）を押すと（２７）、紹介部分が先と逆の順序で変わっていく（３０）。この紹介部分の１２５００円は先に計算済みの情報料である。
【００６４】
また、「テーマ）エコロジーについて考える」は，登録された画像の一部分であって、図８に示したように複数枚の原稿２０ａ，２０ｂ，２０ｃの中の１ページ目の斜線で示す領域の画像部分２０ｄである。
【００６５】
そして、この紹介部分を見て使用者がどの画像を出力するか決めてスタートキー１６ｈを押すと（２８）、表示部１６ａに「カードを挿入して下さい」（表示６）と表示を行う（３１）。
【００６６】
そこで、カードが挿入されたら（３２）、そのカードに記録されている金銭情報が前記情報料以上であるか否かを判断して（３３）、それ未満であればカードを排出して（３４）、表示部１６ａに「カードの料金が不足です、十分な料金のカードを挿入して下さい」（表示５）と表示する（３５）。
【００６７】
また、カード１９に記録されている金銭情報が前記情報料以上であるときカードに情報料を減算して金銭情報を記録し（３６）、カードを排出する（３７）。
【００６８】
次に、選択された画像情報を画像形成して出力する（３８）。次に表示部１６ａに「カードと出力画像をお忘れなくお持ち帰り下さい」（表示７）と表示する（３９）。次にコード別の出力枚数のカウント値を画像形成した枚数だけ増加させる（４０）。そして、再び待機状態に戻る。
【００６９】
〔払い出し処理〕
一方、ステップ（４）の判定で、払出しキー１６ｄが押下された場合には、表示部１６ａには「登録したときのカードを挿入して下さい」（表示８）と表示する（４１）。
【００７０】
次に、カードが挿入されると（４２）、カードに記録されているコードを読み取る。そしてもし登録されたときに発生したコード群の中に読み取ったコードと一致するコードがなければ（４３）、カードを排出して（４７）、表示部１６ａに「登録されていません係員にお申しつけ下さい」（表示９）と表示する（４８）。
【００７１】
また、一致するコードが存在した場合には、そのコードの出力された枚数のカウント値と１枚当たりの払い出し料金から払い出し料金を計算する（４４）。この計算は下記第（３）式によって行われる。
【００７２】
そして、次にカードの金銭情報を払い出し料金だけ増加させて（４５）、カードを排出する（４６）。
【００７３】
（払い出し料金）＝（１枚当たりの払い出し料金）×（出力された枚数のカウント値）、ただし、１枚当たりの払い出し料＝８００円……（３）
〔更新処理〕
一方、ステップ（５）の判定で、更新キー１６ｅが押下された場合には、表示部１６ａには「登録時に使用したカードを挿入して下さい」（表示１０）と表示されていて（４９）、カードが挿入されると（５０）、そのカードに記録されているコードを読み込む。
【００７４】
そして、登録したときに発生したコード群の中に読み込んだコードと一致するコードがあり、なおかつ更新するための料金以上にカードに記録されている金銭情報があるという条件を満たせば（５１），（５２）、更新料をカードの金銭情報より減算する（５３）。
【００７５】
そして、登録期限と払い出し期限を１月延長しカードを排出する（５４），（５５），（５６）。
【００７６】
一方、前記条件を満たさないときは、いきなりカードを排出する（５７）。そして、しばらくの間、表示部１６ａに「このカードでは更新できません係員に相談下さい」（表示１１）と表示する（５８）。そして、ステップ（１）の待機状態に戻る。
【００７７】
なお、本実施形態では前記更新料は登録料金と同じに設定されている。
【００７８】
また、上記実施形態では、登録する原稿の種別を識別することなく画像登録する場合について説明したが、写真等の原稿の場合には、事前に選択可能な高品位画像登録（別料金）を実行して、鮮明な画像を登録または出力できるように構成してもよい。
【００７９】
さらに、登録画像に支払料金に応じて公表できる内容を切り換えて出力できるように、すなわち、料金に応じて必要な箇所以外（マスク）は画像出力しないように構成してもよい。
【００８０】
また、画像種別はモノクロ原稿でもカラー原稿であっても、本発明の適用を妨げるものではない。
【００８１】
さらに、登録する画像については、他の通信媒体を介して遠隔的に原稿画像を登録できるように構成してもよい。また、同種の画像形成システム間を通信可能として、遠隔地点の登録画像を転送して出力できるように構成してもよい。
【００８２】
【発明の効果】
以上説明したように、本発明によれば、データの所有者は磁気カードなどの外部記憶媒体を画像形成装置などのデータ出力装置に入力するだけで、容易に著作物などのデータ出力物の対価を得ることができるので、個人が容易に著作物を提供することができるようになるという効果が得られる。
【００８３】
また、本発明によれば、データの所有者は磁気カードなどの外部記憶媒体を画像形成装置などのデータ出力装置に入力するだけで、容易にデータを登録して出力させるための費用を支払うことができる。
【００８４】
また、本発明によれば、データの購入者は磁気カードなどの外部記憶媒体を画像形成装置などのデータ出力装置に入力するだけで、容易にデータを出力させるための費用を支払うことができる。
【００８５】
また、本発明によれば、データの出力量に応じた対価を得たり、支払ったりすることができる。
【００８６】
また、本発明によれば、表示されたデータを見ることによって、所望のデータを選択することができる。
【図面の簡単な説明】
【図１】本発明の第１実施形態を示す画像形成システムの構成を説明するブロック図である。
【図２】本発明に係る画像形成システムにおける第１の画像形成装置保守管理制御手順の一例を示すフローチャートである。
【図３】本発明に係る画像形成システムにおける第２の画像形成装置保守管理制御手順の一例を示すフローチャートである。
【図４】本発明に係る画像形成システムにおける第３の画像形成装置保守管理制御手順の一例を示すフローチャートである。
【図５】本発明の第２実施形態を示す画像形成システムの構成を説明するブロック図である。
【図６】図５に示した操作パネルの一例を示す概略図である。
【図７】図６に示したカード挿入口に挿入される磁気カードの一例を示す平面図である。
【図８】図５に示したリーダから入稿する原稿の一例を示す模式図である。
【図９】本発明に係る画像形成装置システムを利用する出版処理手順の一例を示すフローチャートである。
【図１０】本発明に係る画像形成装置システムを利用する出版処理手順の一例を示すフローチャートである。
【図１１】本発明に係る画像形成装置システムを利用する出版処理手順の一例を示すフローチャートである。
【図１２】本発明に係る画像形成装置システムを利用する出版処理手順の一例を示すフローチャートである。
【図１３】本発明に係る画像形成装置システムを利用する出版処理手順の一例を示すフローチャートである。
【符号の説明】
４，８　画像形成装置
４ａ，６ａ，８ａ　コントローラ
６　管理装置
【図１】
2004098662.tif 000003
【図２】
2004098662.tif 000004
【図３】
2004098662.tif 000005
【図４】
2004098662.tif 000006
【図５】
2004098662.tif 000007
【図６】
2004098662.tif 000008
【図７】
2004098662.tif 000009
【図８】
2004098662.tif 000010
【図９】
2004098662.tif 000011
【図１０】
2004098662.tif 000012
【図１１】
2004098662.tif 000013
【図１２】
2004098662.tif 000014
【図１３】
2004098662.tif 000015